(57)【特許請求の範囲】
【請求項１】
紙と、
前記紙の表面上に少なくとも一部分が配置され、少なくとも一層の支持層と少なくとも一種類の光学的変化を生じさせる少なくとも一層の光学効果層とを含む多層セキュリティエレメントと
を備えるセキュリティペーパーであって、
前記光学的変化は、前記セキュリティエレメントが視る角度によって異なる視覚的印象を与えることによって、視覚的に認識可能であり、
前記支持層と前記光学効果層との間には少なくとも一つの内部面が形成され、前記セキュリティエレメントが該内部面上に配置される集積回路を含み、
前記光学効果層の少なくとも一層が、前記内部面上に堆積された金属薄膜を含み、該金属薄膜が、前記集積回路にエネルギーを供給する非接触のカプリングエレメントを構成すると共に前記光学的変化に寄与し、
前記セキュリティエレメントが、前記セキュリティペーパーに対し非破壊的には分離できないように連結されていることを特徴とするセキュリティペーパー。
【請求項２】
前記セキュリティエレメントが、光学的に変化する着色剤を含む少なくとも一つの層を備えていることを特徴とする請求項１記載のセキュリティペーパー。
【請求項３】
前記セキュリティエレメントが、レリーフ構造の形態で回折構造が存在する少なくとも一つの層を備えていることを特徴とする請求項１または２記載のセキュリティペーパー。
【請求項４】
前記回折構造が、少なくとも或る領域において金属薄膜または高い屈折率を有する誘電体層からなる反射層と組み合わされていることを特徴とする請求項３記載のセキュリティペーパー。
【請求項５】
前記セキュリティエレメントは、少なくとも一層の金属薄膜および一層の誘電体層または屈折率の異なる少なくとも二層の誘電体層を有し、これら薄膜および層が、反射光が視る角度により異なる印象を与えるように協働することを特徴とする請求項１から４のいずれか１項記載のセキュリティペーパー。
【請求項６】
前記集積回路が、前記光学効果層と前記セキュリティペーパーとの間に配置されていることを特徴とする請求項１から５のいずれか１項記載のセキュリティペーパー。
【請求項７】
前記カプリングエレメントが、前記集積回路の一部分であることを特徴とする請求項１から６のいずれか１項記載のセキュリティペーパー。
【請求項８】
前記カプリングエレメントが、前記セキュリティペーパーの層内に配置されていることを特徴とする請求項１から６のいずれか１項記載のセキュリティペーパー。
【請求項９】
前記セキュリティエレメントが、前記カプリングエレメントを形成する少なくとも一つの金属薄膜を有することを特徴とする請求項７または８記載のセキュリティペーパー。
【請求項１０】
前記金属薄膜が、前記光学効果層から絶縁層によって分離されていることを特徴とする請求項８または９記載のセキュリティペーパー。
【請求項１１】
前記カプリングエレメントが、折返しダイポール、またはコイル、または開放ダイポールであることを特徴とする請求項１から１０のいずれか１項記載のセキュリティペーパー。
【請求項１２】
前記折返しダイポールまたはコイルが、金属が被着されたコア帯を有することを特徴とする請求項１１記載のセキュリティペーパー。
【請求項１３】
前記集積回路が、メモリチップまたはマイクロプロセッサチップであることを特徴とする請求項１から１２のいずれか１項記載のセキュリティペーパー。
【請求項１４】
前記セキュリティエレメントの全ての部分が、前記セキュリティペーパーの表面上に配置された転写エレメントまたはラベルであることを特徴とする請求項１から１３のいずれか１項記載のセキュリティペーパー。
【請求項１５】
前記セキュリティエレメントが、ストリップ形状を有することを特徴とする請求項１４記載のセキュリティペーパー。
【請求項１６】
前記セキュリティエレメントがセキュリティ糸であることを特徴とする請求項１から１５のいずれか１項記載のセキュリティペーパー。
【請求項１７】
前記カプリングエレメントが、少なくとも２０平方ミリメートルの面積を有することを特徴とする請求項１から１５のいずれか１項記載のセキュリティペーパー。
【請求項１８】
紙と、
前記紙の表面上に少なくとも一部分が配置され、少なくとも一層の支持層と少なくとも一種類の光学的変化を生じさせる少なくとも一層の光学効果層とを含む多層セキュリティエレメントと
を備えた有価文書であって、
前記光学的変化は、前記セキュリティエレメントが視る角度によって異なる視覚的印象を与えることによって、視覚的に認識可能であり、
前記支持層と前記光学効果層との間には少なくとも一つの内部面が形成され、前記セキュリティエレメントが該内部面上に配置される集積回路を含み、
前記光学効果層の少なくとも一層が、前記内部面上に堆積された金属薄膜を含み、該金属薄膜が、前記集積回路にエネルギーを供給する非接触のカプリングエレメントを構成すると共に前記光学的変化に寄与し、
前記セキュリティエレメントが、前記有価文書に対し非破壊的には分離できないように連結されていることを特徴とする有価文書。
【請求項１９】
前記有価文書が、パスポート、または銀行紙幣、またはクレジットカードであることを特徴とする請求項１８記載の有価文書。
【請求項２０】
前記有価文書が、請求項１から１７のいずれか１項に記載されたセキュリティペーパーを備えていることを特徴とする請求項１８または１９記載の有価文書。
【請求項２１】
前記有価文書に、少なくとも前記セキュリティエレメントと重なり合う印刷が施されていることを特徴とする請求項１８から２０のいずれか１項記載の有価文書。
【請求項２２】
有価文書の表面上に少なくとも一部分が配置され、少なくとも一層の支持層と少なくとも一種類の光学的変化を生じさせる少なくとも一層の光学効果層とを含む多層のセキュリティエレメントであって、
前記光学的変化は、前記セキュリティエレメントが視る角度によって異なる視覚的印象を与えることによって、視覚的に認識可能であり、
前記支持層と前記光学効果層との間には少なくとも一つの内部面が形成され、前記セキュリティエレメントが該内部面上に配置される集積回路を含み、
前記光学効果層の少なくとも一層が、前記内部面上に堆積された金属薄膜を含み、該金属薄膜が、前記集積回路にエネルギーを供給する非接触のカプリングエレメントを構成すると共に前記光学的変化に寄与し、
前記セキュリティエレメントが、前記有価文書に対し非破壊的には分離できないように連結されていることを特徴とする多層セキュリティエレメント。
【請求項２３】
少なくとも一層の支持層と少なくとも一種類の光学的変化を生じさせる少なくとも一層の光学効果層とを含む多層のセキュリティエレメントを、有価文書に取り付けるための転写材料であって、前記セキュリティエレメントの層構造を取り除き可能に搭載する担持層を備える転写材料において、
前記光学的変化は、前記セキュリティエレメントが視る角度によって異なる視覚的印象を与えることによって、視覚的に認識可能であり、
前記支持層と前記光学効果層との間には少なくとも一つの内部面が形成され、前記セキュリティエレメントが該内部面上に配置される集積回路を含み、
前記光学効果層の少なくとも一層が、前記内部面上に堆積された金属薄膜を含み、該金属薄膜が、前記集積回路にエネルギーを供給する非接触のカプリングエレメントを構成すると共に前記光学的変化に寄与し、
前記セキュリティエレメントが、前記転写材料から前記有価文書に転写された際に、前記有価文書に対し非破壊的には分離できないように連結される特性を有することを特徴とする転写材料。
【請求項２４】
前記光学効果層が、光学的に変化する着色剤を含む少なくとも一つの層を備えることを特徴とする請求項２３記載の転写材料。
【請求項２５】
前記転写材料が、
担持層と、
レリーフ構造の形態の回折構造が存在する層と、
カプリングエレメントが形成された金属薄膜と、
集積回路と、
熱融着接着剤層と、
を備えた層構造を有することを特徴とする請求項２３または２４記載の転写材料。
【請求項２６】
前記転写材料が、
担持層と、
レリーフ構造の形態の回折構造が存在する層と、
前記回折構造が反射光内で観察されるのを可能にする反射層と、
絶縁層と、
カプリングエレメントが形成された金属薄膜と、
集積回路と、
熱融着接着剤層と、
を備えた層構造を有することを特徴とする請求項２３または２４記載の転写材料。
【請求項２７】
前記集積回路が、導電性接着剤層を介して前記カプリングエレメントに接続されていることを特徴とする請求項２５または２６記載の転写材料。
【請求項２８】
前記導電性接着剤層が、導電性銀層または異方性の導電性接着剤層であることを特徴とする請求項２７記載の転写材料。
【請求項２９】
前記カプリングエレメントが、折返しダイポール、またはコイル、または開放ダイポールであることを特徴とする請求項２３から２８のいずれか１項記載の転写材料。
【請求項３０】
前記集積回路が、メモリチップまたはマイクロプロセッサチップであることを特徴とする請求項２３から２８のいずれか１項記載の転写材料。
【請求項３１】
前記転写材料からなる転写層が、非自立型フォイルとして形成されていることを特徴とする請求項２３から２９のいずれか１項記載の転写材料。
【請求項３２】
多層のセキュリティエレメントを有価文書に取り付けるための転写材料であって、前記セキュリティエレメントの層構造を取り除き可能に搭載する担持層を有し、かつ前記セキュリティエレメントが少なくとも一種類の光学的変化を生じさせる少なくとも一層の光学効果層を備える転写材料を製造する方法において、
前記光学的変化は、前記セキュリティエレメントが視る角度によって異なる視覚的印象を与えることによって、視覚的に認識可能であり、
前記支持層と前記光学効果層との間には少なくとも一つの内部面が形成され、前記セキュリティエレメントが該内部面上に配置される集積回路を含み、
前記光学効果層の少なくとも一層が、前記内部面上に堆積された金属薄膜を含み、該金属薄膜が、前記集積回路にエネルギーを供給する非接触のカプリングエレメントを構成すると共に前記光学的変化に寄与し、
前記セキュリティエレメントを、前記転写材料から前記有価文書に転写する際に、前記セキュリティエレメントが前記有価文書に対し非破壊的には分離できないように連結される特性を有することを特徴とする転写材料の製造方法。
【請求項３３】
（ａ）担持層を供給し、
（ｂ）光学的変化を生じさせる少なくとも一層の光学効果層を形成し、
（ｃ）金属薄膜を蒸着して、該金属薄膜内にカプリングエレメントを形成し、
（ｄ）前記カプリングエレメント上に集積回路を取り付ける、
諸工程を含むことを特徴とする請求項３２記載の方法。
【請求項３４】
前記工程（ｃ）に先立って、前記カプリングエレメントおよびさらなる模様または文字の形状に可溶性インクをプリントし、かつ前記工程（ｃ）の以後に前記インクを前記金属薄膜とともに除去することを特徴とする請求項３２記載の方法。
【請求項３５】
前記集積回路および前記カプリングエレメントが、導電性銀層または異方性の導電性接着剤層を介して相互接続されていることを特徴とする請求項３３または３４記載の方法。
【請求項３６】
前記工程（ｂ）において、レリーフ構造の形態の回折構造となるようにエンボス加工される層を形成することを特徴とする請求項３３から３５のいずれか１項記載の方法。
【請求項３７】
前記工程（ｃ）において、前記エンボス加工に際して紫外線で硬化される紫外線硬化ラッカー層を形成することを特徴とする請求項３６記載の方法。
【請求項３８】
前記工程（ｂ）において、前記エンボス加工される層の少なくとも或る領域に反射層を形成することを特徴とする請求項３６または３７記載の方法。
【請求項３９】
前記工程（ｂ）において、少なくとも一層の金属薄膜、および、一層の誘電体層または屈折率の異なる少なくとも二層の誘電体層を形成することによって、これら薄膜および層が、反射光を異なる角度から視たときに異なる視覚的印象を与えるように協働することを特徴とする請求項３３から３５のいずれか１項記載の方法。
【請求項４０】
前記光学効果層と、前記工程（ｃ）において形成された金属薄膜との間に絶縁層を形成することを特徴とする請求項３３から３９のいずれか１項記載の方法。
【請求項４１】
工程（ｅ）を更に含み、該工程（ｅ）において、接着剤層を形成することを特徴とする請求項３３から３９のいずれか１項記載の方法。
【請求項４２】
セキュリティエレメントを備えた有価文書の作成方法であって、請求項２４から３２のいずれか１項に記載された転写材料の層構造を、前記有価文書の或る領域に転写し、次いで前記担持層を除去することを特徴とする有価文書の作成方法。
【請求項４３】
有価文書の作成のために、請求項２３から３１のいずれか１項に記載された転写材料を使用することを特徴とする方法。
【請求項４４】
製品の防護のために、請求項１から１７のいずれか１項に記載されたセキュリティペーパーを使用することを特徴とする方法。
【請求項４５】
製品の防護のために、請求項１８から２１のいずれか１項に記載された有価文書を使用することを特徴とする方法。
【請求項４６】
前記カプリングエレメントが蒸着法またはプリンティング法で製造されることを特徴とする請求項１から１７のいずれか１項記載のセキュリティペーパー。
【請求項４７】
前記カプリングエレメントが蒸着法またはプリンティング法で製造されることを特徴とする請求項１８から２１のいずれか１項記載の有価文書。
【発明の詳細な説明】
【０００１】
本発明は、銀行紙幣、証書のような有価文書を作成するための、少なくとも一種類の視覚的に照合可能な光学的効果を有する少なくとも一つの多層セキュリティエレメントを備えたセキュリティペーパーに関するものであり、上記セキュリティエレメントは上記セキュリティペーパーの表面の少なくとも一部分に配置される。本発明はさらに、多層セキュリティエレメント、およびかかるセキュリティエレメントを備えた有価文書に関するものである。多層セキュリティエレメントを有価文書に施すための転写材料、ならびに、この転写材料および有価文書の作成方法もまた本発明に含まれる。
【０００２】
有価文書を偽造および不法な複製から防護することは常に重要である。特に、今日の複写技術および印刷技術から見て、不法な複製または偽造を、実際に防ぐことはなくても、少なくとも明白に認識可能する目立つセキュリティ特徴を見出すことが益々困難になって来ている。
【０００３】
欧州特許第0 019 191 B1号明細書には、例えば照合可能なコーディングが書き込まれた集積回路を備えた有価文書を提供することが提案されており、上記集積回路との情報伝達はアンテナを介して非接触的に行なわれる。上記集積回路は、少なくとも部分的に金属が付された担体フォイルのギャップ内に設けられる。このフォイルは次に２枚のペーパーウェブの間に積層される。しかしながら、担体フォイルが２枚のペーパーウェブの間に積層されているだけなので、層を互いに分離することが可能であり、チップを嵌め込んだプラスチックが偽造に用いられる危険性がある。さらにこのセキュリティエレメントは、特別な検知器によってのみ照合可能な、純粋に機械照合のセキュリティエレメントである。
【０００４】
視覚的に極めて容易に照合できかつ目立つ特徴として用いられることが多いのは、色彩的な効果または情報のような視覚的印象が視る角度によって変化する、光学的に変化するセキュリティエレメント、例えばホログラムである。かかるセキュリティエレメントを備えた有価文書は、欧州特許出願公開第0 440 045 A2号明細書で知られている。ここには、ラベル状のホログラムを備えた銀行紙幣が記載されている。ホログラムの光学的に変化する効果はカラー複写機によっては得られないので、これらのセキュリティエレメントは、カラー複写に対して極めて良好な防護となる。しかしながら、これらのセキュリティエレメントは、機械照合に対しては極めて不完全であるという欠点を有する。なぜならば、ホログラムの回折構造によって反射される光は、ある一定の角度で検出しなければならず、かつホログラムの存在の信頼性のある確認を可能にするために迷走光の影響を除外しなければならないからである。さらなる問題は、信号強度がホログラムの照明源に大きく左右されるので、信号強度が変動する点である。したがって、信頼性のある測定には、一定の照明条件が確保されなければならない。
【０００５】
このような問題を回避するために、視覚的な読取りが容易なホログラムに、純粋に機械読取りが可能なレーザー光ホログラムを重ね合わすことが提案されている（独国特許第38 40 037 C2号明細書）。機械読取りが可能なホログラムの読出しは、レーザーによってのみ可能であり、このレーザー伝達ホログラム中に隠された情報は、ホログラムが記録されたときにすでに規定されている有価文書の正面の空間座標に投射される。この隠された情報を認識するためには、検出器をこの場所に配置しなければならない。しかしながら、有価文書のためのこの形式の視覚的および機械的防護は、作成および照合の双方において極めて困難である。
【０００６】
よって本発明は、視覚的に照合可能な光学的機能を備え、かつ機械照合が可能なセキュリティエレメントを有する、作成が容易でコストもかからない有価文書およびセキュリティペーパーを提案することを目的とするものである。
【０００７】
この目的は、独立クレームの特徴によって解決される。従属クレームの内容はその発展である。
【０００８】
本発明において、「セキュリティペーパー」とは、本発明のセキュリティエレメントを備えているのみでなく、さらに、ある量の蛍光物質、セキュリティ糸等のような目立つ特徴を備えることができる未印刷の紙を指す。
【０００９】
「有価文書」とは、その使用のために完成した文書を呼ぶ。それは例えば、銀行紙幣、証書のような印刷された有価書類、ＩＤカード、パスポートまたはその他の防護を必要とする文書である。
【００１０】
以下、セキュリティペーパーに関して本発明を説明する。しかしながら、その利点および実施の形態は有価文書についても同様である。
【００１１】
本発明によれば、上記セキュリティペーパーは、視覚的に照合が容易でかつ複写技術または偽造によっては作成不能な光学的効果を生じさせる少なくとも一つの多層セキュリティエレメントを備えている。このセキュリティエレメントは、上記セキュリティペーパーの表面の少なくとも一部分に配置され、かつその内部の層の一つに少なくとも一個の集積回路を包含している。この集積回路は、例えば厳密なメモリチップ（ＲＯＭ）、書込み可能なチップ（ＥＰＲＯＭ，ＥＥＰＲＯＭ）、またはマイクロプロセッサチップである。ここで用いられるチップは、厚さが５〜５０マイクロメートル、好ましくは１０マイクロメートル、エッジの長さが０．１〜３ミリメートル、好ましくは０．６ミリメートルである。チップ上には２ないし４個の接触面があることが好ましい。
【００１２】
上記セキュリティエレメントの光学的効果は、光学的に変化する着色剤、特に干渉層着色剤または液晶着色剤を含む層によって生じさせることができる。この層は、全体に亘って、または情報の形態で存在させることができる。あるいは、セキュリティエレメントは、ホログラム、またはキネグラム、またはその他の回折構造とすることができる。この回折構造は、プラスチック層にレリーフ構造の形態でエンボスされるのが好ましい。もし上記回折構造を反射光中で観察しようとする場合は、反射層、特に金属層または高い屈折率を有する誘電体層が回折構造と組み合わされる。しかしながら、上記反射層は全面に設ける必要はなく、網またはその他の情報の形態で施すことができる。特に、模様または文字の形状の隙間を備えることができる。視覚的に照合可能な光学的効果を生じさせるさらなる可能性があるのは、薄膜構造を用いることであり、そこには、金属層および／または屈折率の異なる複数の誘電体層が重ね合わせて配置され、これら層は、少なくとも反射光で視たときに、視る角度によって印象が異なるように協働する。このような異なる印象は、異なる色彩効果であることが好ましい。
【００１３】
あるいは、上記光学的効果は、模様、文字等の形状の隙間を備えた印刷画像または金属層によっても生じさせることができる。金属層自体が同様に文字または模様の形態で存在していてもよい。蛍光インクのような特殊の印刷インクを用いてもよい。勿論、光学的効果を生じさせる複数のセキュリティ手段を用いてもよい。上述の誘電体薄膜エレメント、または異なる光学的効果を生じさせる複数の層の組合せのように、光学的効果を生じさせる層が下記で論じられる場合、これも協働する多層構造と呼ぶ。同様に、「ホログラム」という用語も、任意の回折構造を代表している。
【００１４】
本発明に適した集積回路は、光学的効果を生じさせる層とセキュリティペーパーとの間に配置されるのが好ましい。かくして、外部的には環境の影響から防護され、実際的には目では見えなくなる。カプリングエレメントを介して非接触的に情報伝達がなされるように集積回路を用いることが有利である。上記カプリングエレメントは、集積回路に予め組み込まれた部分であってもよいし、あるいはセキュリティエレメントの層内に配置されているものであってもよい。カプリングエレメントがセキュリティエレメントの層内に組み込まれていると、操作または偽造を試みた場合、例えば偽造の複製物にその集積回路を組み込むつもりでも、オリジナルのセキュリティエレメントまたはこのセキュリティエレメントを備えたセキュリティペーパーから集積回路を動作的に分離することができないという利点がある。上記カプリングエレメントは、折返しダイポール、またはコイル、または開放ダイポールで構成することができる。システムの効率を増大させるために、折返しダイポールまたは金属によるコア帯を備えたコイルに設けてもよい。もしカプリングエレメントが光学的効果を生じさせる層上に形成されていると、上記コア帯は、カプリングエレメントによって上記層の視覚的印象が損なわれるのを少なくすることができる。カプリングエレメントの大きさは、カプリングエレメントの形式および読み／書き周波数に左右され、例えば１３，５６ＭＨｚおよび２ＧＨｚでは約０．１ｍｍおよび数ｃｍである。
【００１５】
本発明によるセキュリティエレメントは、製紙後のセキュリティペーパーに施されるのが好ましく、セキュリティペーパーまたはセキュリティエレメントを破壊することなしには取り外すのができないようにセキュリティペーパーに結合される。かくして本発明は、セキュリティエレメントが製紙工程で組み込まれるのではないのにも拘わらず、偽造防止態様をもって有価書類に結合されている利点を有する。さらなる利点は、セキュリティエレメントがいくつかの観点で偽造の企てから防護されていることである。観察者に面する層の光学的効果は、複写機または他の複製技術をもってオリジナルに忠実なものを作成することを不可能にしており、その結果、偽造を企てても、直ちに容易かつ迅速に見破ることができる。万一、セキュリティエレメントの光学的印象を模倣した試みが成功したとしても、この偽造は、集積回路の機械照合によって見破ることができる。集積回路はセキュリティエレメントの内部に配置され、かつ光学的効果を生じさせる層によって覆われているので、腕の良い偽造者でも、この付加された本物であることの特徴に気付くことができず、したがってそれを模倣する企てを放棄するであろう。
【００１６】
本発明によるセキュリティエレメントは、多層自立式ラベルとして、または転写エレメントとして、作成後のセキュリティペーパーに結合されることが好ましい。セキュリティエレメントの輪郭形状は自由に選ぶことができる。あるいは、セキュリティエレメントは、セキュリティ糸として形成することもできる。この場合、集積回路および光学的効果を生じさせる層は、糸形状のプラスチックサブストレート上に配置され、このサブストレートは、上記糸がセキュリティペーパーの表面の一部領域に直接露出するように、製紙工程中にペーパーウェブに組み込まれる。好ましい実施の形態によれば、セキュリティ糸は、集積回路と光学的効果を生じさせる層とを間に配置した二つのプラスチックサブストレートからなる。
【００１７】
本発明による「転写エレメント」とは、後にセキュリティペーパー上に乗ることになる順とは逆の順で、例えばプラスチックフォイルのような独立した担持層上に用意されるものを呼び、この転写エレメントは、次いで接着剤層またはラッカー層によってセキュリティペーパーに対し所望の輪郭形状に転写される。上記担持層は、転写後、セキュリティエレメントの層構造から取り除くことができるが、層構造上のセキュリティエレメントの堅固な部分を保護層として残してもよい。
【００１８】
個々の転写エレメントは、個々の独立したエレメントとして、転写される輪郭形状をもって担持層上に用意される。あるいは、転写エレメントの連続層が担持層上に連続的な形態で提供される。個々に離れた転写エレメントまたは連続的に延びる層構造を備えたかかる担持層を、以後「転写材料」と呼び、上記担持層上に配置されたセキュリティエレメントの連続層を「転写層」と呼ぶ。
【００１９】
連続する転写層の場合、転写材料は次に接着剤層を介してセキュリティペーパーに結合され、この接着剤層は、転写層の活性化された領域のみがセキュリティペーパーに接着されるように適当な浮出し工具を用いて活性化される。次に、他の領域のすべてが担持層とともに取り除かれる。あるいは、接着剤層を、転写されるべきセキュリティエレメントの形態で設けてもよい。接着剤は熱融着接着剤が用いられるのが好ましい。しかしながら、反応性ラッカーのような他の接着剤を用いてもよい。
【００２０】
セキュリティエレメントをセキュリティペーパーにではなく有価文書に施すこともできる。この場合、実施の形態および可能性の確定はセキュリティペーパーに関して説明したのと同様である。
【００２１】
本発明のセキュリティエレメントの好ましい連続層のいくつかが、以後の転写材料の実例によって、より詳細に説明されるであろう。
【００２２】
層の順序は異なるが、勿論同様の連続をラベルまたはセキュリティ糸に適用することができる。
【００２３】
最も単純な形態において、転写材料は、特に透明なプラスチックフォイルである担持層と、少なくとも一層の光学的効果を生じさせる層と、少なくとも一個の集積回路からなる。本実施の形態においても、集積回路は、読み／書き装置との情報伝達のためのカプリングエレメントを備えている。
【００２４】
もしカプリングエレメントを組み込んでいない集積回路を用いる場合には、適当なカプリングエレメントを転写材料の転写層の層構造内に設けなければならない。一体のカプリングエレメントを備えた転写層は、薄い非自立式フォイルとして形成されるのが好ましい。非自立式セキュリティエレメントは、破壊を伴わなければ取り除き不能なため、オリジナルのセキュリティエレメントをセキュリティペーパーから取り外す偽造の企ては阻止される。
【００２５】
このカプリングエレメントは、開放ダイポール、または折返しダイポール、またはコイルとすることができる。このカプリングエレメントは、金属層内における適当な金属性膜を適当に除去することによって形成することができる。この目的のために、随意的に設けられる分離層である、転写材料の担持層は、光学的効果を生じさせる層を備えている。この層の上に、金属性膜を取り除く領域の形状の水溶性の層または他の可溶性層が溶剤を用いてプリントされる。次の工程で、担持層のプリントされた側の全面に金属性膜が施される。最後の工程で、可溶性インクとこれらの領域に存在する金属性膜が除去される。集積回路は、例えば導電性銀接着剤または異方性の導電性接着剤のような導電性接着剤によってこの層に固定される。最終的に、担持層には、少なくとも一部の領域に接着剤層が設けられる。
【００２６】
あるいは、上記金属層の形成は、周知のエッチング技術によっても可能である。この場合、担持層は、光学的効果を生じさせる層を施した後に、金属被膜が全面に直接設けられる。次にこの金属層には、所望のカプリングエレメントの形状に防護ラッカー層がプリントされる。次に防護ラッカー層で覆われていない領域が、適当な溶剤で取り除かれる。上記防護層は、上記金属層の全面をフォトレジストで覆い、次に露光および現像による写真手段によっても作成することができる。
【００２７】
一つの変形によれば、カプリングエレメントを形成する金属層は、絶縁層によって光学的効果を生じさせる層から絶縁することができる。これは特に、光学的効果を生じさせる層が導電性層であるような場合に必要である。
【００２８】
しかしながら、本発明によれば、上記金属層が、同時に視覚的な光学的効果を必要とされるようにすることも可能である。例えば、反射ホログラムが用いられる場合、光学的効果を生じさせる層は通常エンボスされたラッカー層と金属層とからなり、上記ラッカー層内に、ホログラムの回折構造がレリーフの形態でエンボスされる。転写材料の担持層は第１に、内部に回折構造がエンボスされたラッカー層を備えている。次にこのラッカー層には金属層が設けられる。しかしながら、金属層が、好ましくは蒸着で施されるのに先立って、カプリングエレメントを作成するために、上述のように可溶性インクがプリントされる。金属層の被着後、上述のように、可溶性インクは除かれ、集積回路が取り付けられる。ここでも、上述のエッチング技術を用いて金属層を形成してもよい。
【００２９】
本実施の形態では、完成されたセキュリティエレメントにおいて観察者に面する最外側の層を形成するエンボスされたラッカー層がもし透明であれば、カプリングエレメントが視覚的に認識されることになる。もしこのことが望ましくなければ、浮き出されたラッカー層を着色すればよい。この目的には、メタリック着色剤を用いるのが好ましい。あるいは、セキュリティエレメントまたはセキュリティペーパーに箔を重ねたり、カプリングエレメントの光学的印象を隠す印刷を施してもよい。
【００３０】
このような変形は、セキュリティエレメントの光学的効果を生じさせる層が、機械照合の可能な集積回路に引離し不能に接続されているというさらなる利点を有する。光学的効果を生じさせる層をいじると、同時に機械照合が可能なモジュールに影響を与える。
【００３１】
しかしながら、カプリングエレメントが金属層で形成されることは必ずしも必要でない。例えば印刷された導電性ポリマーで形成されていてもよい。
【００３２】
すべての実施の形態において、カプリングエレメントとＩＣチップとの間の接続は、導電性接着剤、錫・鉛半田等の導電性接続要素により、または例えば静電容量的な非接触接続により行なうことができる。
【００３３】
セキュリティエレメントまたはセキュリティペーパーに孔をあけて集積回路をカプリングエレメントとともに抜き出す操作が確実に気付かれるようにするために、カプリングエレメントが大面積を占めるように設計されていることが好ましい。その結果、カプリングエレメントの占める面積が２０平方ミリメートル以上もあれば、たとえ素人であっても、打ち抜かれた孔に容易に気付く筈である。
【００３４】
本発明によるセキュリティエレメントを備えたセキュリティペーパーは、次に有価文書に加工される。もし、上記セキュリティペーパーから例えば銀行紙幣が作成されるとすると、通常セキュリティペーパーは、後に適当な印刷機で印刷可能な複数のコピーを備えたシートに切断される。各コピーは本発明によるセキュリティエレメントを少なくとも一つ備えている。好ましい実施の形態においては、セキュリティエレメントがコピーの一つのエッジと平行に延びるストリップとして形成される。このことは、セキュリティエレメントが連続的な工程でセキュリティペーパーに転写可能であるという利点を有する。
【００３５】
印刷時にセキュリティエレメントの領域は、少なくとも部分的に重ね刷りも可能であり、これによって、特に触知できる凹刻印刷が重ね刷りに用いられた場合、有価文書の偽造防止能力を高めることができる。しかしながら、本発明によるセキュリティペーパーは、パスポート、株券、ビザ、ＩＤカード、証書、入場券、運送許可書、セキュリティラベルまたは小切手等のような他の有価文書の作成にも利用することができる。この有価文書はまた、ＣＤ、香水、医薬、すべてのタイプのパッケージのようないかなる製品にも偽造防止手段として貼り付けることができる。
【００３６】
本発明による有価文書の偽造防止能力は、この有価文書に関連したデータを、照合可能な態様で集積回路内に格納することによってさらに高めることができる。例えば、有価文書の使用履歴を集積回路内に格納することができる。例えば銀行紙幣については、発行および寿命に関する情報を格納することができ、今までは困難であった銀行紙幣の流通状態の評価可能にする。また同時に、銀行紙幣の流通の適正または不適正に関する情報も格納可能である。
【００３７】
さらに、或る用途に関する有価文書の監視または封鎖も可能である。かかる監視は、特に盗まれた金に対処するのに効果がある。
【００３８】
特別の実施の形態においては、セキュリティエレメントの集積回路が、同様にセキュリティペーパーまたはセキュリティエレメントにも含まれる感光センサを組み込み、またはこれに接続されていて、例えば入射光、熱、磁気またはその他の現象を認識する。かかるセンサの測定値は、集積回路に伝送されて格納される。これは例えば、文書の複写作業をその度毎に入射光として記録し、その複写作業の回数を集積回路に格納することが可能になる。これにより、適法な複写であるか不法な複写であるかを識別することができる効果がある。適法な複写が行なわれた場合、ユーザーは、セキュリティペーパー内にセンサが付随していることに気付き、後に彼のみが使用することができる装置を用いて、彼の適法な複写に関する情報を削除することができる。しかしながら、不法な複写は削除することができない。もし各複写作業に先立って、集積回路のメモリに登録されたか否かをチェックすれば、さらなる複写を防止することができる。この処理は、通常光を遮断した状態で格納される文書に特に適している。
【００３９】
あるいは、個々の複写機の識別番号を集積回路に格納してもよい。これは、複写に用いられた機械を後で識別することができる可能性を高める。これは偽造の追跡に役立てることができる。最終的に、集積回路から対応する目印を読み取った場合に有価文書の複写を禁止するリーダーを複写機に設けることもできる。
【００４０】
集積回路はさらに、権限を与える電子スタンプの格納に用いることができる。これは特に、ビザまたはパスポートに効果がある。この目的のためには、各有価文書が個々の情報を備えていると便利である。この情報は、簡単なランダム番号、または特殊な印刷公差、紙の透過特性のような文書に特有の特徴を含む複雑な情報がよい。この情報はさらに暗号に変換することができる。
【００４１】
しかしながら、集積回路は、有価文書に施された解読容易な情報を防護するのに用いることもできる。例えば、もし発行者の番号および表示のような識別情報が有価文書に記載されていれば、対応する情報を集積回路に格納することもできる。この情報の格納は、これに対応した解読鍵をもってのみ識別可能な暗号にするのが好ましい。有価文書の照合により、集積回路に含まれている情報が、文書上に実際に記載されている解読可能な情報と比較される。
【００４２】
もし、集積回路との情報伝達が非接触で行なわれるならば、かかる文書の取扱いは比較的簡単である。例えば、商品の流通が書類とともに行なわれる商品引渡し、輸出入およびその他の取引に関して、完全に照合するために用いられる。本発明は例えば密輸のチェックに用いることができる。
【００４３】
集積回路としてマイクロプロセッサが用いられるならば、適当な暗号手法で暗号化された情報を、セキュリティペーパーまたは有価文書の集積回路内にさらに取り入れることができ、かつ読み／書き装置に移すことができる。他のプログラムや多機能構造を用いることもできる。データ処理において、またはチップカード分野において知られている技術をここに応用することができる。
【００４４】
本発明のさらなる実施の形態および利点は、図面を参照して説明されるであろう。図面は単に説明のためのものであって、本発明品の実際の尺度を示したものでないことを指摘しておく。
【００４５】
図１は本発明による有価文書の一つの実施の形態の平面図である。本実施の形態は、本発明のセキュリティペーパーから作成された銀行紙幣１である。この銀行紙幣は、転写エレメントとして設計されかつ後述でさらに詳細に説明する転写材料を用いて施された本発明によるセキュリティエレメント２を備えている。銀行紙幣１は、例えばセキュリティ糸３のような付加的なセキュリティエレメントを備えることができる。セキュリティ糸３は、銀行紙幣の表面の或る領域４に露出するように、いわゆる「窓糸」として紙内に織り込まれている。
【００４６】
図２〜図５は、本発明による転写材料１０の種々の実施の形態を示す。転写材料１０は、基本的に、担持層５と、本発明の有価文書の少なくとも或る領域に転写された転写層６とからなる。図１に示されたセキュリティエレメント２の場合、転写層６は、担持層５から例えば正方形に剥がされている。担持層５は、転写層６を所定形状に剥がすために、分離層を備えることができる。この分離層は図示されていないが、組紐模様等のような精巧な構造を含む他の形状でもよいことは勿論である。セキュリティエレメント２は、セキュリテュ糸３と平行に配置された縞の形状を有することが多い。
【００４７】
図２に示された転写層６は、光学的効果を生じさせる層７と、集積回路８と、接着剤層９とからなる。集積回路８はすでに一体のカプリングエレメントを備えているので、転写層６の層構造内には、集積回路８に接するさらなる層を備えていない。光学的効果を生じさせる層７は自由に選択できる。しかしながら、集積回路８が視覚的に認識されないように、少なくとも集積回路８の領域は不透明であることが好ましい。
【００４８】
光学的効果を生じさせる層７は平面で示されているが、多層からなるものであってもよい。その場合、例えば薄いフィルム要素である場合、屈折率の異なる複数の誘電体層と薄い金属層からなるものとすることができる。このような層構造は、角度によって色彩が異なる相互作用を生む。
【００４９】
層７は、例えば、光学的に異なる効果を生じさせる特殊な着色剤を含むプリントされたその他の層であってもよい。この目的のために、液晶着色剤または、例えば Merck社から販売されているIRIODINE（登録商標）のような、干渉作用を利用した他の着色剤を用いることが好ましい。
【００５０】
接着剤層９は、セキュリティエレメント２を有価文書に固定する役目を果たす。これは、適当なホットスタンプによって活性化される熱融着接着剤層が好ましい。しかしながら、接着剤層９は、転写されるべき転写エレメントの輪郭をすでに画成する領域のみに施してもよい。さらなる実施の形態によれば、接着剤層が全くなくてもよい。この場合、接着剤層は、転写エレメントを備えたサブストレートに望ましい形態で施される。
【００５１】
図３に示されている転写材料は、一体のカプリングエレメントを有しない集積回路を備えている。したがって、転写層６は、光学的効果を生じさせる全面の層７のみでなく金属層１１をも備えている。金属層１１は、図６（ａ）に示すような折返しダイポールの形状に施され、かつ集積回路のためのカプリングエレメントを形成する。折返しダイポール１１の端子と集積回路の接点領域との間の接続は、導電性接着剤層１２を介して行なわれる。
【００５２】
図４に示された転写層６は、エンボスされた層１３と金属層１４とからなるホログラムを有する。金属層１４は、ホログラムのレリーフ状回折構造が反射光中に観察されるのを確実にする。しかしながら、金属層１４は間隙１９を備えている。間隙１９は、集積回路８のためのカプリングエレメント１１が構成されるように形成される。図３と同様に、カプリングエレメントは、間隙１９によって他の金属層１４から絶縁された折返しダイポールによって形成される。
【００５３】
本実施の形態において、金属層１４は、光学的効果を生じさせる層７の一部であると同時に、集積回路８の一部である。しかしながら、もしエンボスされた層１３が透明であれば、カプリングエレメント１１は明確に上から明確に認識されることになる。もしこの効果が望ましくなければ、エンボスされた層１３を半透明の着色剤で着色すればよい。カプリングエレメント１１の光学的印象をぼやかす非導電性のメタリック着色剤を用いることも可能である。
【００５４】
図５に示された転写層６は、同じく集積回路と組み合わされたホログラムを示す。この場合、回折構造の反射層１４は、集積回路８のための情報伝達層としての役目を同時に果たすものではない。それどころか、反射層１４は、カプリングエレメント１１を備えた金属層１７から絶縁層１５によって分離されている。それでもやはり、金属層１４は、少なくとも伝送光内で良好に読取可能な文字または模様の形態をした間隙１６を備えている。これら間隙は、さらに視覚的に目立つ特徴を形成している。
【００５５】
カプリングエレメント１１を含む金属層１７は、図４に示された反射層１４に類似した構成を有する。すなわち、金属層１７は、カプリングエレメント１１を残りの金属層から絶縁する間隙１９を備えている。
【００５６】
金属層１４および１７内の間隙１６および１９は、別の方法で形成することができる。例えば、これら金属層は、層１３，１５上に所望の形状に直接形成した対応するマスクを用いて蒸着することができる。あるいは、上記金属層は、第１工程で全面を覆う金属層として形成し、次にこの金属層の所望の領域を保護層で覆い、次に保護層で覆われていない領域を適当な溶剤で取り除くことによって形成することもできる。これら取り除かれた領域が間隙１６または１９に対応する。
【００５７】
しかしながら、用いて好ましい方法は、第１工程で、領域１６，１９内の層１３，１５に好ましくは水溶性のインクを印刷することである。次に蒸着によって全面に金属層を施す。最後の工程で、水溶性インクと，その上を覆う金属層を対応する溶剤で取り除いて、間隙１６または１９を生じさせる。間隙１９を生じさせる方法とは異なる方法を用いて間隙１６を作成することも可能である。図３に示されたカプリングエレメント１１の作成にも同様の方法を用いることができる。
【００５８】
図６は、カプリングエレメントの種々の実施の形態を示す。どの実施の形態も例えば図３に用いられたようなカプリングエレメントに単独で利用することができる。図４および図５に示されているような、周囲にさらに存在する可能性のある金属部材は、図を簡潔にするために省略してある。
【００５９】
図６（ａ）は、図６（ｂ）に示されているように、出力を増大させるための金属コアを付加することができる折返しダイポールである。あるいは、カプリングエレメントは、図６（ｃ）および図６（ｄ）に示されているように、適当なターン数のコイル、または金属コアを備えたコイルとすることもできる。さらに静電容量的に動作する変形が図６（ｅ）に示されている。ここでは、２本の金属棒が開放ダイポールとして動作する。勿論、この形式のカプリングエレメントは、図示および記述された全てに実施の形態に用いることができる。
【００６０】
上述のように、これらのカプリングエレメントは、金属被着または金属除去によって形成されることが好ましい。しかしながら、これらは導電性ポリマーを用いた印刷技術によっても形成することができる。
【００６１】
図２〜図５に示された転写材料１０の層構造は、セキュリティ糸に置き換えることができる。この場合、担持層５は、その上に配置される層構造に取外し不能に接続されたプラスチックフォイルに置き換えられる。この層構造は転写層６に対応する。このセキュリティ糸は、図１に示されたセキュリティ糸３と同様に、セキュリティペーパー内に織リ込むことができる。しかしながら、セキュリティ糸は、セキュリティペーパーまたは有価文書の表面全面に配置されたものであってもよい。このため、プラスチック担持体の層構造側とは反対側の表面には、適当な接着剤がコーティングされる。同様に、セキュリティエレメントを、いかなる輪郭を有する自立性ラベルとして形成することも可能である。
【図面の簡単な説明】
【図１】  本発明による有価文書を示す図
【図２】  本発明による転写材料の実施の形態を示す断面図
【図３】  本発明による転写材料の別の実施の形態を示す断面図
【図４】  本発明による転写材料の別の実施の形態を示す断面図
【図５】  本発明による転写材料の別の実施の形態を示す断面図
【図６】  図６（ａ）〜図６（ｅ）は本発明による種々のカプリングエレメントを示す図
【図１】
0004695327.tif 000002
【図２】
0004695327.tif 000003
【図３】
0004695327.tif 000004
【図４】
0004695327.tif 000005
【図５】
0004695327.tif 000006
【図６ａ】
0004695327.tif 000007
【図６ｂ】
0004695327.tif 000008
【図６ｃ】
0004695327.tif 000009
【図６ｄ】
0004695327.tif 000010
【図６ｅ】
0004695327.tif 000011